(57)【要約】【課題】各係間の連携ミスを防止するとともに、適切な交付可能認証用媒体の抽出が可能で、交付場所を選ばないという効果が得られ、交付業務の省力化が図れる認証用媒体更新システムを提供する。【解決手段】運転免許証の更新を行なう認証用媒体更新システムにおいて、作成した新たな運転免許証のＩＣチップに記録した免許証情報が正しいことを確認した後に確認済情報を登録するとともに、申請者が受講を終了した後に受講済情報を登録することで、作成した新たな運転免許証のうち、当該運転免許証に記録した免許証情報が確認済みで、かつ、講習済の運転免許証を交付可能運転免許証として抽出し表示する。【選択図】      図１
2006018756.tif 000002
【特許請求の範囲】
【請求項１】
発行済の認証用媒体に記録されている媒体情報を当該認証用媒体固有の識別情報と対応させて記憶している記憶手段と、
認証用媒体の更新を申請する申請者が所持する認証用媒体から固有の識別情報を取得する識別情報取得手段と、
前記申請者の顔画像を取得する画像取得手段と、
この画像取得手段による顔画像の取得が終了すると、前記識別情報取得手段により取得された識別情報に対応する媒体情報を前記記憶手段から取得し、この取得した媒体情報および前記画像取得手段により取得された顔画像を記録した新たな認証用媒体を作成する認証用媒体作成手段と、
この認証用媒体作成手段により作成された認証用媒体のリストを作成する認証用媒体作成リスト作成手段と、
前記認証用媒体作成手段により作成された認証用媒体の媒体情報が正しいことを確認したのに基づき、確認済情報を登録する確認済情報登録手段と、
申請者が認証用媒体の更新を行なうために必要な講習を終了したことを示す講習済情報を取得して登録する講習済情報登録手段と、
前記認証用媒体作成リスト作成手段により作成された認証用媒体作成リストから、前記確認済情報登録手段により確認済情報が登録され、かつ、前記講習済情報登録手段により講習済情報が登録された認証用媒体を交付可能認証用媒体として抽出する交付可能認証用媒体抽出手段と、
この交付可能認証用媒体抽出手段により抽出された認証用媒体の識別情報を出力する交付可能認証用媒体出力手段と、
を具備したことを特徴とする認証用媒体更新システム。
【請求項２】
発行済の認証用媒体に記録されている媒体情報を当該認証用媒体固有の識別情報と対応させて記憶している記憶手段と、
認証用媒体の更新を申請する申請者が所持する認証用媒体から固有の識別情報を取得する識別情報取得手段と、
前記申請者の顔画像を取得する画像取得手段と、
この画像取得手段による顔画像の取得が終了すると、前記識別情報取得手段により取得された識別情報に関連付けた受付番号を発番する受付番号発番手段と、
この受付番号発番手段により発番された受付番号および当該受付番号に関連付けられた識別情報を含む必要情報を記録した受付票を当該申請者に対して出力する受付票出力手段と、
前記識別情報取得手段により取得された識別情報に対応する媒体情報を前記記憶手段から取得し、この取得した媒体情報および前記画像取得手段により取得された顔画像を記録した新たな認証用媒体を作成する認証用媒体作成手段と、
この認証用媒体作成手段により作成された認証用媒体のリストを作成する認証用媒体作成リスト作成手段と、
前記認証用媒体作成手段により作成された認証用媒体の媒体情報が正しいことを確認したのに基づき、確認済情報を登録する確認済情報登録手段と、
認証用媒体の更新を行なうために必要な講習を終了した申請者が提示する前記受付票から講習済情報を取得して登録する講習済情報登録手段と、
前記認証用媒体作成リスト作成手段により作成された認証用媒体作成リストから、前記確認済情報登録手段により確認済情報が登録され、かつ、前記講習済情報登録手段により講習済情報が登録された認証用媒体を交付可能認証用媒体として抽出する交付可能認証用媒体抽出手段と、
この交付可能認証用媒体抽出手段により抽出された認証用媒体の識別情報を出力する交付可能認証用媒体出力手段と、
を具備したことを特徴とする認証用媒体更新システム。
【請求項３】
認証用媒体の更新を申請する申請者が所持する認証用媒体から固有の識別情報を取得する識別情報取得ステップと、
前記申請者の顔画像を取得する画像取得ステップと、
この画像取得ステップによる顔画像の取得が終了すると、前記識別情報取得ステップにより取得された識別情報に対応する媒体情報を、発行済の認証用媒体に記録されている媒体情報を当該認証用媒体固有の識別情報と対応させて記憶している記憶手段から取得し、この取得した媒体情報および前記画像取得ステップにより取得された顔画像を記録した新たな認証用媒体を作成する認証用媒体作成ステップと、
この認証用媒体作成ステップにより作成された認証用媒体のリストを作成する認証用媒体作成リスト作成ステップと、
前記認証用媒体作成ステップにより作成された認証用媒体の媒体情報が正しいことを確認したのに基づき、確認済情報を登録する確認済情報登録ステップと、
申請者が認証用媒体の更新を行なうために必要な講習を終了したことを示す講習済情報を取得して登録する講習済情報登録ステップと、
前記認証用媒体作成リスト作成ステップにより作成された認証用媒体作成リストから、前記確認済情報登録ステップにより確認済情報が登録され、かつ、前記講習済情報登録ステップにより講習済情報が登録された認証用媒体を交付可能認証用媒体として抽出する交付可能認証用媒体抽出ステップと、
この交付可能認証用媒体抽出ステップにより抽出された認証用媒体の識別情報を出力する交付可能認証用媒体出力ステップと、
を具備したことを特徴とする認証用媒体更新方法。
【請求項４】
認証用媒体の更新を申請する申請者が所持する認証用媒体から固有の識別情報を取得する識別情報取得ステップと、
前記申請者の顔画像を取得する画像取得ステップと、
この画像取得ステップによる顔画像の取得が終了すると、前記識別情報取得ステップにより取得された識別情報に関連付けた受付番号を発番する受付番号発番ステップと、
この受付番号発番ステップにより発番された受付番号および当該受付番号に関連付けられた識別情報を含む必要情報を記録した受付票を当該申請者に対して出力する受付票出力ステップと、
前記識別情報取得ステップにより取得された識別情報に対応する媒体情報を、発行済の認証用媒体に記録されている媒体情報を当該認証用媒体固有の識別情報と対応させて記憶している記憶手段から取得し、この取得した媒体情報および前記画像取得ステップにより取得された顔画像を記録した新たな認証用媒体を作成する認証用媒体作成ステップと、
この認証用媒体作成ステップにより作成された認証用媒体のリストを作成する認証用媒体作成リスト作成ステップと、
前記認証用媒体作成ステップにより作成された認証用媒体の媒体情報が正しいことを確認したのに基づき、確認済情報を登録する確認済情報登録ステップと、
認証用媒体の更新を行なうために必要な講習を終了した申請者が提示する前記受付票から講習済情報を取得して登録する講習済情報登録ステップと、
前記認証用媒体作成リスト作成ステップにより作成された認証用媒体作成リストから、前記確認済情報登録ステップにより確認済情報が登録され、かつ、前記講習済情報登録ステップにより講習済情報が登録された認証用媒体を交付可能認証用媒体として抽出する交付可能認証用媒体抽出ステップと、
この交付可能認証用媒体抽出ステップにより抽出された認証用媒体の識別情報を出力する交付可能認証用媒体出力ステップと、
を具備したことを特徴とする認証用媒体更新方法。
【発明の詳細な説明】
【技術分野】
【０００１】
本発明は、たとえば、各種カード型の運転免許証や各種通帳型の免許証などの認証用媒体の更新を行なう認証用媒体更新システムおよび認証用媒体更新方法に関する。
【背景技術】
【０００２】
一般に、有効期限などの更新手続が必要とされる認証用媒体として自動車の運転免許証などが知られている。  
運転免許証の更新を行なう場合、更新を申請する申請者は、あらかじめ申請用の顔写真（顔画像）を撮影し、申請者が居住する地域を管轄する運転免許センタや警察署に行って、用意した顔写真と証紙を貼り付けた申請書を作成し、窓口に提出して運転免許証の更新を申請する。申請書を受付けた窓口の係員は、申請書の記載事項、申請書に貼付された顔写真や証紙、更新前の運転免許証などを確認して更新申請を受付ける。
【０００３】
この後、申請者は、所定の適正検査を受けてから所定の講習を受講し、有効期限が更新された新たな運転免許証の交付を待機する。一方、更新申請を受けた係員は、更新前の古い運転免許証を交付したときの申請情報をデータベースから検索して抽出し、申請者から受取った申請書の記載事項と照合し、適正検査の結果を待って問題がなければ新たな運転免許証の作成を指示する。
【０００４】
新たな運転免許証を作成する場合、その場で申請者を撮影して顔写真を作成し、必要事項を記入したカード媒体に顔写真を印刷してラミネート処理等を施す。このようにして作成された新たな運転免許証は、適性検査を受けて講習を受講した申請者に対しのみ、係員が本人と照合した後に交付される。
【０００５】
しかし、上述した従来の更新処理では、申請者が管轄の運転免許センタや警察署へ出向いて更新の申請をする必要があり、その際、申請書に貼付する顔写真をあらかじめ用意する必要があるとともに申請書に貼付する証紙を購入する必要があり、さらに、その場で申請書に必要事項を記入する必要があり、申請者にとって更新申請にかかる手間が多く面倒である。  
そこで、このような問題を解決するものとして、たとえば特許文献１に記載されているような技術が知られている。
【特許文献１】特開２００２−１７８６７４号公報
【発明の開示】
【発明が解決しようとする課題】
【０００６】
運転免許証の更新時、運転免許証を交付できる最低条件は、
（１）適正な申請者である（身体的条件等）
（２）講習を受講している
（３）申請者情報と免許証記載情報とに相違がない
というもので、その管理は全て人間系で行なっているが、運転免許証の作成と講習とは別の係が行なっているため連携が大変であり、また、運転免許証の交付場所も講習室に限定する必要があり、作成された運転免許証を講習室ごとに管理し、講習室まで運ばなければならないとう問題がある。
【０００７】
そこで、本発明は、新たに作成された認証用媒体の媒体情報の確認と講習済の確認をシステム化し連動することにより、各係間の連携ミスを防止するとともに、適切な交付可能認証用媒体の抽出が可能で、交付場所を選ばないという効果が得られ、交付業務の省力化が図れる認証用媒体更新システムおよび認証用媒体更新方法を提供することを目的とする。
【課題を解決するための手段】
【０００８】
本発明の認証用媒体更新システムは、発行済の認証用媒体に記録されている媒体情報を当該認証用媒体固有の識別情報と対応させて記憶している記憶手段と、認証用媒体の更新を申請する申請者が所持する認証用媒体から固有の識別情報を取得する識別情報取得手段と、前記申請者の顔画像を取得する画像取得手段と、この画像取得手段による顔画像の取得が終了すると、前記識別情報取得手段により取得された識別情報に対応する媒体情報を前記記憶手段から取得し、この取得した媒体情報および前記画像取得手段により取得された顔画像を記録した新たな認証用媒体を作成する認証用媒体作成手段と、この認証用媒体作成手段により作成された認証用媒体のリストを作成する認証用媒体作成リスト作成手段と、前記認証用媒体作成手段により作成された認証用媒体の媒体情報が正しいことを確認したのに基づき、確認済情報を登録する確認済情報登録手段と、申請者が認証用媒体の更新を行なうために必要な講習を終了したことを示す講習済情報を取得して登録する講習済情報登録手段と、前記認証用媒体作成リスト作成手段により作成された認証用媒体作成リストから、前記確認済情報登録手段により確認済情報が登録され、かつ、前記講習済情報登録手段により講習済情報が登録された認証用媒体を交付可能認証用媒体として抽出する交付可能認証用媒体抽出手段と、この交付可能認証用媒体抽出手段により抽出された認証用媒体の識別情報を出力する交付可能認証用媒体出力手段とを具備している。
【０００９】
また、本発明の認証用媒体更新方法は、認証用媒体の更新を申請する申請者が所持する認証用媒体から固有の識別情報を取得する識別情報取得ステップと、前記申請者の顔画像を取得する画像取得ステップと、この画像取得ステップによる顔画像の取得が終了すると、前記識別情報取得ステップにより取得された識別情報に対応する媒体情報を、発行済の認証用媒体に記録されている媒体情報を当該認証用媒体固有の識別情報と対応させて記憶している記憶手段から取得し、この取得した媒体情報および前記画像取得ステップにより取得された顔画像を記録した新たな認証用媒体を作成する認証用媒体作成ステップと、この認証用媒体作成ステップにより作成された認証用媒体のリストを作成する認証用媒体作成リスト作成ステップと、前記認証用媒体作成ステップにより作成された認証用媒体の媒体情報が正しいことを確認したのに基づき、確認済情報を登録する確認済情報登録ステップと、申請者が認証用媒体の更新を行なうために必要な講習を終了したことを示す講習済情報を取得して登録する講習済情報登録ステップと、前記認証用媒体作成リスト作成ステップにより作成された認証用媒体作成リストから、前記確認済情報登録ステップにより確認済情報が登録され、かつ、前記講習済情報登録ステップにより講習済情報が登録された認証用媒体を交付可能認証用媒体として抽出する交付可能認証用媒体抽出ステップと、この交付可能認証用媒体抽出ステップにより抽出された認証用媒体の識別情報を出力する交付可能認証用媒体出力ステップとを具備している。
【発明の効果】
【００１０】
本発明によれば、新たに作成された認証用媒体の媒体情報の確認と講習済の確認をシステム化し連動することにより、各係間の連携ミスを防止するとともに、適切な交付可能認証用媒体の抽出が可能で、交付場所を選ばないという効果が得られ、交付業務の省力化が図れる認証用媒体更新システムおよび認証用媒体更新方法を提供できる。
【発明を実施するための最良の形態】
【００１１】
以下、本発明の実施の形態について図面を参照して説明する。  
なお、以下の説明では、認証用媒体としてＩＣカードによって構成される自動車の運転免許証に適用した場合を例として述べるが、自動車の運転免許証に限らず、たとえば、社員証や通行証など個人特定するための認証用媒体でもよく、またＩＣカードに限らず磁気カードで構成されていてもよく、さらにはカード型の形態に限らず、通帳型の形態をした認証用媒体でも同様に適用できる。
【００１２】
図１は、本発明の実施の形態に係る認証用媒体更新システムの構成を概略的に示すものである。この認証用媒体更新システムは、たとえば、自動車の運転免許証を更新するもので、発行済の全ての運転免許証に関する免許証情報（媒体情報）を管理しているホスト装置としてのホストコンピュータ（記憶手段）１１、業務支援サーバ１２、申請者の顔画像（少なくとも顔を含む画像）を撮影する画像取得手段としての顔画像撮影装置１３、新たな運転免許証Ｐ１を作成する認証用媒体作成手段としての免許証作成装置１４、作成された運転免許証Ｐ１のＩＣチップに記録された免許証情報を確認する免許証情報確認手段としての免許証情報確認装置１５、申請者に対して受付票Ｐ２を印刷出力する受付票出力手段としての受付票出力プリンタ１６、出力された受付票Ｐ２から受付番号を読取る受付番号読取装置１７、交付可能な運転免許証の交付番号（受付番号）を表示する交付可能認証用媒体出力手段としての交付番号表示装置１８、および、これらを通信可能に接続する通信ネットワーク１９により構成されている。
【００１３】
ホストコンピュータ１１には、発行済の全ての運転免許証に関する免許証情報が当該免許証固有の識別情報としての免許証番号と対応させて記憶されている。  
業務支援サーバ１２は、発番された受付番号を管理しているデータベース２１、新たに作成された運転免許証のリスト（免許証作成リスト）を管理しているデータベース２２、登録された講習済情報を管理しているデータベース２３、および、登録された免許証情報確認済情報を管理しているデータベース２４をそれぞれ有している。
【００１４】
次に、このような構成において運転免許証の更新処理について図２および図３に示すフローチャートを参照して説明する。  
まず、顔画像撮影装置１３において、申請者が所持する更新前の古い運転免許証の免許証番号をキーボードなどで入力し（ステップＳ１）、その後、撮影カメラを用いて申請者の顔画像（少なくとも顔を含む画像）を撮影する（ステップＳ２）。ここに、ステップＳ１の処理が本発明における識別情報取得手段に対応し、ステップＳ２の処理が本発明における画像取得手段に対応している。
【００１５】
次に、顔画像の撮影が終了すると、顔画像撮影装置１３から業務支援サーバ１２へ撮影終了を意味する撮影済情報として免許証番号を送信する。業務支援サーバ１２は、受信した免許証番号に関連付けた受付番号を発番し（ステップＳ３）、当該免許証番号と対応させてデータベース２１に格納するとともに、受付票の出力に必要な情報を受付票出力プリンタ１６に送信する。ここに、ステップＳ３の処理が本発明における受付番号発番手段に対応している。
【００１６】
受付票出力プリンタ１６は、受信した必要情報を記録した交付引換証を兼ねた受付票Ｐ２を印刷出力する（ステップＳ４）。この出力された受付票Ｐ２は当該申請者に対し渡されるもので、その一例を図４に示す。この例では、たとえば、日付、講習室、講習時間、講習区分、グループ番号、個人番号（座席番号）免許証番号、交付番号（受付番号）、受講済印を押印する欄等が印刷されている。ここに、ステップＳ４の処理が本発明における受付票出力手段に対応している。  
なお、本例では撮影済情報から受付番号を発番する方式としているが、単純に撮影済み申請者の免許証番号のみを管理してもよい。その場合は受付票の出力処理は省略される。
【００１７】
次に、受付票Ｐ２の出力が終了すると、免許証作成装置１４は、ホストコンピュータ１１から当該免許証番号に対応する免許証情報を取得するとともに、顔画像撮影装置１３から撮影された当該申請者の顔画像を取得し（ステップＳ５）、これら取得した免許証情報および顔画像に基づき印刷情報（券面情報）を作成し、作成した印刷情報をカード媒体（ＩＣカード）の表面に印刷するとともに、カード媒体に内蔵されたＩＣチップに免許証情報（顔画像を含む場合もある）を書込むことで新たな運転免許証を作成する（ステップＳ６）。ここに、ステップＳ５，Ｓ６の処理が本発明における認証用媒体作成手段に対応している。
【００１８】
次に、運転免許証の作成が終了すると、免許証作成装置１４は、免許証作成済情報として当該運転免許証の免許証番号を業務支援サーバ１２へ送信する。業務支援サーバ１２は、受信した免許証番号をデータベース２２内の免許証作成リストに格納する（ステップＳ７）。ここに、ステップＳ７の処理が本発明における認証用媒体作成リスト作成手段に対応している。
【００１９】
次に、免許証作成リストの作成が終了すると、免許証情報確認装置１５において、たとえば、免許証作成装置１４から運転免許証のＩＣチップに記録した免許証情報を取得して、ディスプレイに表示することで、ＩＣチップに記録した免許証情報が正しいことをオペレータが確認する（ステップＳ８）。そして、免許証情報が正しいことを確認した後、確認済情報として免許証番号を業務支援サーバ１２に送信する（ステップＳ９）。業務支援サーバ１２は、受信した免許証番号を確認済情報としてデータベース２４に登録する（ステップＳ１０）。ここに、ステップＳ８〜Ｓ１０の処理が本発明における確認済情報登録手段に対応している。
【００２０】
さて、当該申請者は、所定の講習の受講が終了すると、先に出力された受付票Ｐ２の受講済印押印欄に受講済印の押印を受けた後、当該受付票Ｐ２を受付番号読取装置１７にセットする。受付番号読取装置１７はセットされた受付票Ｐ２から交付番号（受付番号）および受講済印押印欄を読取り、受講済印が押印されていることを確認した後、読取った交付番号（受付番号）を講習済情報として業務支援サーバ１２に送信する（ステップＳ１１）。業務支援サーバ１２は、受信した交付番号（受付番号）を講習済情報としてデータベース２３に登録する（ステップＳ１２）。ここに、ステップＳ１１，Ｓ１２の処理が本発明における講習済情報登録手段に対応している。
【００２１】
なお、受付番号の管理ではなく、免許証番号管理の場合は受付票Ｐ２の読取りではなく、旧運転免許証の免許証番号の読取りとなり、この旧運転免許証の免許証番号が講習済情報として業務支援サーバ１２に送信される。
【００２２】
次に、講習済情報の登録が終了すると、業務支援サーバ１２は、データベース２２から免許証作成リストを取得するとともに（ステップＳ１３）、データベース２４から確認済情報を取得し（ステップＳ１４）、さらに、データベース２３から講習済情報を取得する（ステップＳ１５）。そして、取得した免許証作成リスト内から、データベース２４に確認済情報が登録されていて（免許証情報が確認済で）、かつ、データベース２３に講習済情報が登録されている（講習済の）免許証番号を交付可能免許証として抽出し（ステップＳ１６）、交付番号表示装置１８へ送信する。ここに、ステップＳ１３〜Ｓ１６の処理が本発明における交付可能認証用媒体抽出手段に対応している。
【００２３】
交付番号表示装置１８は、受信した免許証番号を交付可能免許証として表示出力する（ステップＳ１７）。ここに、ステップＳ１７の処理が本発明における交付可能認証用媒体出力手段に対応している。
【００２４】
このように、上記実施の形態によれば、新たに作成された運転免許証のＩＣチップに記録された免許証情報の確認と申請者が講習を受講し終えた講習済の確認をシステム化し連動することにより、各係間の連携ミスを防止するとともに、適切な交付可能免許証の抽出が可能で、交付場所を選ばないという効果が得られ、交付業務の省力化が図れるものである。
【図面の簡単な説明】
【００２５】
【図１】本発明の実施の形態に係る認証用媒体更新システムの構成を概略的に示すブロック図。
【図２】運転免許証の更新処理の流れについて説明するフローチャート。
【図３】運転免許証の更新処理の流れについて説明するフローチャート。
【図４】印刷出力された受付票の一例を示す平面図。
【符号の説明】
【００２６】
１１…ホストコンピュータ（記憶手段）、１２…業務支援サーバ、１３…顔画像撮影装置（画像取得手段）、Ｐ１…運転免許証（認証用媒体）、１４…免許証作成装置（認証用媒体作成手段）、１５…免許証情報確認装置（免許証情報確認手段）、１６…受付票出力プリンタ（受付票出力手段）、１７…受付番号読取装置１７、１８…交付番号表示装置（交付可能認証用媒体出力手段）、１９…通信ネットワーク、Ｐ１…運転免許証（認証用媒体）、Ｐ２…受付票。
【図１】
2006018756.tif 000003
【図２】
2006018756.tif 000004
【図３】
2006018756.tif 000005
【図４】
2006018756.tif 000006